(57)【要約】【課題】１つのセル内に複数の画素が設定されるパッシブ型の情報表示用パネルを備えた画像表示装置において、発生したクロストークによる表示ムラを低減する画像表示装置の駆動方法を提供する。【解決手段】駆動方法は、２枚の基板間に隔壁により形成したセル内に、粒子群として構成した表示媒体を封入し、基板のそれぞれに配置した電極に基づく電界に応じて表示媒体を駆動させて情報を表示する画像表示装置の駆動方法である。駆動方法では、画像表示装置が、行方向に延在する複数の行電極及び列方向に延在する複数の列電極を含んで形成され、行電極と列電極とが交差する位置の画素がセルの１個の内に複数存在する場合に、前回の情報の表示を消去した後、かつ、次の情報の表示を開始する前に、セル内で隣り合う第１の電極と第２の電極とに、当該第１の電極側又は当該第２の電極側へ粒子群が駆動するように作用する電圧を印加する。【選択図】図３
2013127511.tif 000002
【特許請求の範囲】
【請求項１】
少なくとも一方が透明な対向する２枚の基板間に隔壁により形成したセルを設け、帯電性粒子を含んだ粒子群として構成した表示媒体を前記セル内に封入し、前記基板のそれぞれに配置した電極に基づいて発生する電界に応じて前記表示媒体を前記基板間で駆動させて情報を表示する情報表示用パネルを備えた画像表示装置の駆動方法であって、
前記情報表示用パネルが、一方の基板上で行方向に延在する複数本の電極からなる行電極及び他方の基板上で列方向に延在する複数本の電極からなる列電極を含んで形成されていると共に、前記行電極と前記列電極とが交差する位置の画素が前記セルの１個の内に複数存在するように設定されている場合に、
前回の情報の表示を消去した後、かつ、次の情報の表示を開始する前に、前記セル内で隣り合う第１の電極と第２の電極との間に、当該第１の電極側または当該第２の電極側へ、前記粒子群が駆動するように作用する電圧を印加する
ことを特徴とする画像表示装置の駆動方法。
【発明の詳細な説明】
【技術分野】
【０００１】
本発明は、少なくとも一方が透明な２枚の基板間に配置した表示媒体を封入し、この表示媒体を駆動させて画像等の情報を表示する画像表示装置の駆動方法に関する。より詳細には画像表示装置の駆動方法に関する。
【背景技術】
【０００２】
画像表示装置として液晶表示装置（ＬＣＤ）が広く普及している。しかし、一般に液晶表示装置は一般にバックライトを使用するので電力消費量が大きく、また電源を接続していなければ表示できないので表示保持性に劣るなどの欠点が知られていた。そこで、液晶表示装置に代わるものとして、少なくとも一方が透明な２枚の基板（例えばガラス基板）間に隔壁によって仕切られた複数のセルを形成し、このセル内に配置した表示媒体を封入して、この表示媒体に電界を作用させて画像等の情報を表示する情報表示用パネルを備えた画像表示装置が提案されている。この画像表示装置はいったん画像表示を形成したあとに電源を切っても表示した画像を保持するため、画像保持に電力を必要とせず、また視野角が広いなどの特長を備えている。
【０００３】
上記のような画像表示装置の情報表示用パネルは、例えば基板間の空間に画像等の情報に応じた電界を発生させる電極対が配備されており、その電界に応じてパネル内の表示媒体（帯電性粒子を含んだ粒子群）を駆動させることにより画像等の情報を表示する。より具体的には、情報表示用パネルにおいて、一方の基板側で行方向に延びる複数本の電極からなる行電極と、他方の基板側で列方向に延びる複数本の電極からなる列電極とを互いに交差するように配置して、列電極の一端から他端にスキャンして電圧を印加することで、1画面の画像を表示する。いわゆるパッシブ駆動型の情報表示用パネルである。また、タッチペンなどと組み合わせて、画面上の指定した位置に点や線などを表示（描画）することもできる。表示された画像は、表示面側の透明なパネル基板を通して視認することができる。また、この画像表示装置のもつ、いったん表示した画像を保持するという特徴から、通常、画像表示を行うまえに、もともと表示されていた情報をリセットするための消去を行う。消去するためには、電極に所定の電圧を印加し、画面の全体または一部に同方向の電界を発生させて同種類の表示媒体群を同じ基板側に駆動させる。このようなパッシブ駆動型の画像表示装置はクロストークと称される要因により生じる表示ムラが問題となる場合がある。以下にクロストークについて説明する。
【０００４】
上記情報表示用パネルでは、各行電極、各列電極が各画素で共通のため、表示切り替えをしたときに表示切り替えに関係しない画素にも無用な電圧（クロストーク電圧）が加わることがある。例えば黒色の表示媒体群と白色の表示媒体群を用いて表示する情報表示用パネルにおいて、クロストーク電圧が加わった場合、本来、白表示であるべき画素が、薄い灰色の表示となり、また本来黒表示であるべき画素が濃い灰色の表示となる。これは、クロストーク電圧により、セル内の表示媒体群のうち、一方の電極に配置される例えば白色表示媒体の中に、一部の黒色表示媒体が混ざってしまうためである。同様に黒色表示媒体の中に、一部の白色表示媒体が混ざってしまうためである。このようにクロストーク電圧により生じる意図しない表示状態の変化をクロストークと称する。このクロストークは表示する画像の位置によって発生する部分と発生しない部分があるため、濃淡の差が生じてしまう。この濃淡の差が情報表示用パネルを見た者（観察者）に表示ムラがあると感じさせることになる。
【０００５】
そこで、特許文献１では、上記のようなパッシブ駆動型の情報表示用パネルを備える画像表示装置の駆動方法として、１画面の表示が終了した後、クロストークを発生させる電圧を表示領域にある全ての電極に１回以上、意図的に印加することにより表示調整処理を行っていた。ただし、ここで提案している表示調整処理は、例えば黒・白の表示媒体を用いて情報表示用パネルで、本来、白表示とする領域にクロストークが発生して灰色（グレイ）となった場合、灰色を所期の白色に戻そうとするものではない。全ての電極に１回以上クロストーク電圧を意図的に印加して、そのとき白色であるものも灰色に近付けることで、観察者が表示ムラを感じないようにする処理である。このような画像表示装置の駆動方法であれば、比較的簡易に実行でき、情報表示用パネルの表示状態を全体的として濃淡の差が抑制するよう調整し、視覚的に目立たないように、即ち、観察者が表示ムラを感じないようにすることができる。
【先行技術文献】
【特許文献】
【０００６】
【特許文献１】特開２００５−３３１９０４号公報
【発明の概要】
【発明が解決しようとする課題】
【０００７】
上記情報表示用パネルは、前述したように、隔壁によって仕切られたセル内に表示媒体を封入し、これに基板に設けた電極から電圧を印加して駆動させるものであるが、１つのセル内に１つの画素を設定してある形態（１対１の形態、と称す）だけでなく、１つのセル内に複数（Ｎ個）の画素を設定してある形態（１対Ｎの形態、と称す）がある。従来技術では、これら形態の違いによって、クロストークにより発生した表示ムラ（発生する濃淡）を十分に軽減できない場合がある。この点を、図を参照して説明する。
【０００８】
図７（ａ）は１対１の形態で形成した画像表示装置の表示領域の一部を拡大して示した図であり、図７（ｂ）は図７（ａ）内の一部領域ＡＲ内のセルを更に拡大して示した図である。また、図８（ａ）は１対Ｎ（ここでは、Ｎ＝４）の形態で形成した画像表示装置の表示領域の一部を拡大して示した図であり、図８（ｂ）は図８（ａ）内の一部領域ＡＲ内のセルを更に拡大して示した図である。なお、図７（ｂ）、図８（ｂ）のそれぞれでは上段にセルの平面図、下段にセルの側面図を示している。
【０００９】
図７、図８どちらにおいても、横方向に向かって延在する行電極ＲＷ−１、ＲＷ−２と、これと交差する縦方向に向かって延在する列電極ＣＬ−１、ＣＬ−２とが示されている。行電極ＲＷ（ＲＷ−１、ＲＷ−２）は観察側の透明なパネル基板（例えば、ガラス基板）ＰＡ−２の内側に配置されている。そして、列電極ＣＬ（ＣＬ−１、ＣＬ−２）は背面側のパネル基板（例えば、ガラス基板）ＰＡ−１の内側に配置されている。
【００１０】
このように、行電極ＲＷと列電極ＣＬが配備された２枚の基板は平行に配置され、その間を隔壁（リブ）ＲＢで保持している。図７、図８で示されるように、隔壁ＲＢで囲まれた空間がセルＣＥであり、このセルＣＥ内に白色表示媒体ＷＨおよび黒色表示媒体ＢＬが適量充填されている。
【００１１】
各列電極ＣＬまたは行電極ＲＷは細長い短冊形状で各基板ＰＡ−１、ＰＡ−２上にストライプ状に配置されており、行電極と列電極は交差するように配置されている（ここでは直交交差させている）。1本の行電極ＲＷと1本の列電極ＣＬが交差した領域（位置）が１画素となっている。
【００１２】
隔壁ＲＢは表示媒体（粒子群）が偏らないように、ある一定の大きさのセル空間を形成しているが、このセルの形態には、図７で示した１対１の形態と、図８で示した１対Ｎの形態とがある。後者の１対Ｎの形態の場合、１つのセル内に複数のＮ画素（例示の場合は４画素）が存在する構造になるが、一方でこの構造の場合は隣接する電極間に仕切りとなる隔壁が存在しないことになる。そのために、上述した従来のクロストーク抑制法では発生したクロストークを確実に抑制できない場合がある。この点の不都合を、更に、図９を示して説明する。
【００１３】
図９は、１対４の形態に形成した情報表示用パネルで、クロストークにより発生した濃淡の差を抑制するため、セル内の全面の電極に意図的にクロストーク電圧を印加する従来の抑制手法を実施したときの様子を説明するために示した図である。なお、この図９では、１対４の形態に形成した１個のセルを拡大して示し、クロストークが発生した表示領域の状態を示したのが左上段の図、これに対して、右上段の図はクロストークが発生していない表示領域の状態を示している。
【００１４】
１個のセル内に４画素が存在する１対４の形態場合には、図９左上段で示すように所定の情報が表示された後、クロストークが発生したときに内部の表示媒体（粒子群）が偏在すると反対側（背面側）の基板上にある表示媒体（ここでは黒色表示媒体ＢＬ）が見えてしまう場合がある。より具体的には、手前側の基板の電極ＣＬ−１、ＣＬ−２側に白色表示媒体ＷＨを電気的に吸引して表示する場合、ここで示す電極ＣＬ−１、ＣＬ−２間には１対１形態のように隔壁がない。そのために、表示書き換えに際して発生したクロストークで、セル内で隣り合う電極ＣＬ−１、ＣＬ−２間に白色表示媒体ＷＨが駆動しうる電界が生じた場合、隔壁がないため電極ＣＬ−１、ＣＬ−２間に存在していた白色表示媒体ＷＨまでも上記電位差により駆動し、電極間に存在しなくなる。その結果、図９左上段で示すように背面側に存在する他方の色（黒色表示媒体ＢＬ）の表示媒体群が見える状態になってしまう。
【００１５】
そして、情報表示用パネルでは、上述した図９左上段のクロストーク発生部分、及び図９右上段で示すクロストークが発生しなかった部分が存在する。このような表示状態にある情報表示用パネルに、前述した従来の表示ムラ抑制手法によりセル内の電極全てに電圧を一括的に印加して、発生した濃淡を抑制するように処理した様子を示したのが、図９の下段それぞれの図である。
【００１６】
右側のクロストーク発生のない部分に表示ムラ抑制するための処理をして、クロストークが発生した左側に近付くように、表示状態を調整するのが意図である。しかし、隣接する電極ＣＬ−１、ＣＬ−２間が同電位のため、白色表示媒体ＷＨに動きがない。そのため、セル内の電極全てに電圧をかけることにより、右上段と比較して、一応、下段の方が表示ムラは少し縮小するものの、下段の左右を比較すると右下の状態は白色表示媒体ＷＨを両側に偏在した状態とし、背面側の黒色表示媒体ＢＬが見える状態に近付けるような処理がされていない。その結果、左右表示状態で濃淡の差を十分に抑制できておらず、観察者は表示ムラを感じてしまうことになる。
【００１７】
このように、１対Ｎの形態でセルを形成した場合は、1画面表示後に表示全面に電圧を印加したとしても、隣り合う電極と電極の間の電位は等しいため、表示媒体（粒子群）に横方向での駆動が生じない。その結果、電極と電極の間に白色表示媒体ＷＨが残存して、表示時に発生したクロストークによる表示ムラ（濃淡）を抑制するのが困難となっている。これは、従来技術が、前後の基板間、すなわち情報表示用パネルの厚み方向で発生する表示濃淡を抑制するものであったのに対して、図９に示すように、１対Ｎ形態とした場合で問題としているのは、横方向（パネルの上下、或いは左右）で発生している濃淡である。したがって、このような場合、従来技術によって表示ムラを十分に抑制することができいという問題があった。
【００１８】
そこで、本発明は、上述した問題を鑑みてなされたものであり、１つのセル内に複数の画素が設定されるパッシブ型の情報表示用パネルを備えた画像表示装置においても、発生したクロストークによる表示ムラを低減する画像表示装置の駆動方法を提供することを目的とする。
【課題を解決するための手段】
【００１９】
第１の特徴に係る画像表示装置の駆動方法は、少なくとも一方が透明な対向する２枚の基板間に隔壁により形成したセルを設け、帯電性粒子を含んだ粒子群として構成した表示媒体を前記セル内に封入し、前記基板のそれぞれに配置した電極に基づいて発生する電界に応じて前記表示媒体を前記基板間で駆動させて情報を表示する情報表示用パネルを備えた画像表示装置の駆動方法である。画像表示装置の駆動方法は、前記情報表示用パネルが、一方の基板上で行方向に延在する複数本の電極からなる行電極及び他方の基板上で列方向に延在する複数本の電極からなる列電極を含んで形成されていると共に、前記行電極と前記列電極とが交差する位置の画素が前記セルの１個の内に複数存在するように設定されている場合に、前回の情報の表示を消去した後、かつ、次の情報の表示を開始する前に、前記セル内で隣り合う第１の電極と第２の電極との間に、当該第１の電極側または当該第２の電極側へ、前記粒子群が駆動するように作用する電圧を印加する工程（ステップＳ１４０の表示ムラ低減処理）を有することを要旨とする。
【００２０】
上述した特徴において、画像表示装置の駆動方法は、電圧を印加する工程において、前記第１の電極側を前記第２の電極側よりも高電位とし、その後に前記第２の電極側を前記第１の電極側よりも高電位とする電圧切り替えを１回の表示調整処理として、１〜１００００回の範囲で繰り返し行うことが好ましい。
【発明の効果】
【００２１】
本発明によれば、１つのセル内に複数の画素が設定されるパッシブ型の情報表示用パネルを備えた画像表示装置において、発生したクロストークによる表示ムラ（表示の濃淡の差）を低減する画像表示装置の駆動方法を提供することができる。
【図面の簡単な説明】
【００２２】
【図１】図１は、本発明の駆動方法を適用できる画像表示装置が備える情報表示用パネルの構成例について示した図である。
【図２】図２は、本発明の画像表示装置の駆動方法を説明するために示した図である。
【図３】図３は、本発明の画像表示装置の駆動方法を説明するためのフロー図である。
【図４】図４は、実施例として作製した画像表示装置の情報表示用パネルについて示した図である。
【図５】図５は、図４に示す情報表示用パネルを備えた画像表示装置を駆動して、実施した表示試験方法を説明するための図である。
【図６】図６は、第１実施例において、従来技術に係る駆動方法による表示ムラ抑制効果と、本発明の駆動方法による表示ムラ抑制効果との差が確認できるようにまとめて示したグラフ図である。
【図７】図７（ａ）は、画像表示装置の情報表示用パネルにおいて、セルと電極とを１対１の形態で形成した画像表示装置の表示領域の一部を拡大して示した図である。図７（ｂ）は、図７（ａ）内の一部領域ＡＲ内のセルを更に拡大して示した図である。
【図８】図８（ａ）は、画像表示装置の情報表示用パネルにおいて、セルと電極とを１対Ｎの形態で形成した画像表示装置の表示領域の一部を拡大して示した図である。図８（ｂ）は、図８（ａ）内の一部領域ＡＲ内のセルを更に拡大して示した図である。
【図９】図９は、クロストークにより発生した濃淡の差を抑制するため、セル内の電極全面に意図的にクロストーク電圧を印加する従来の抑制手法を実施したときの様子を説明するために示した図である。
【発明を実施するための形態】
【００２３】
本発明の実施形態について、図面を参照しながら説明する。なお、以下の図面の記載において、同一部分には、同一の符号を付している。ただし、図面は模式的なのものであり、各寸法の比率などは現実のものとは異なることを留意すべきである。従って、具体的な寸法などは以下の説明を参酌して判断すべきものである。また、図面相互間においても互いの寸法の関係や比率が異なる部分が含まれる。
【００２４】
［第１実施形態］
（画像表示装置の構成）
本発明の第１実施形態に係る画像表示装置の構成について説明する。具体的に、画像表示装置は、情報表示用パネルを備える。情報表示用パネルは、帯電性粒子を含む粒子群として構成した表示媒体を備えている。情報表示用パネルは、対向する２枚の基板間の空間に封入した帯電性粒子を含んだ粒子群に電界が付与される。情報表示用パネルでは、付与された電界方向に沿って、表示媒体となる粒子群が電界による力やクーロン力などによって引き寄せられ、粒子群が電界方向の変化によって駆動することにより、画像等の情報表示がなされる。従って、粒子群が、均一に駆動し、かつ、繰り返し表示情報を書き換える時、或いは表示情報を継続して表示する時の安定性を維持できるように、情報表示用パネルを設計する必要がある。ここで、表示媒体を構成する粒子にかかる力は、電界による力、粒子同士のクーロン力により引き付けあう力、電極や基板との電気鏡像力、分子間力、液架橋力、重力などが考えられる。
【００２５】
図１（ａ）、（ｂ）を参照して、情報表示用パネルの構成について、詳細に説明する。なお、図１（ａ）、（ｂ）は、１対Ｎ（＝４）形態のセルで形成される情報表示用パネル１００について、１個のセルの部分を拡大して示している。この情報表示用パネル１００は、少なくとも光学的反射率および帯電性を有する粒子を含んだ粒子群として構成される互いに光学的反射率および帯電特性が異なる少なくとも２種類の表示媒体（ここでは負帯電性白色粒子３Ｗａを含んだ粒子群として構成した白色表示媒体３Ｗと正帯電性黒色粒子３Ｂａを含んだ粒子群として構成した黒色表示媒体３Ｂを示す）を、隔壁４で形成された各セルにおいて、基板１に設けた電極５（ここでは列電極とする）と基板２に設けた電極６（ここでは行電極とする）とが、対向直交交差して形成する画素電極対の間に電圧を印加することにより発生する電界に応じて、基板１、２の面に対して垂直方向に駆動させる。そして、図１（ａ）に示すように白色表示媒体３Ｗを観察者に視認させて白色表示、あるいは、図１（ｂ）に示すように黒色表示媒体３Ｂを観察者に視認させて黒色表示をする。
【００２６】
なお、情報表示用パネル１００で１対Ｎの形態を採用するのは、例えば次の理由による。情報表示用パネル１００の解像度が高い場合、１対１の形態では画素に対する隔壁の割合が大きくなり、表示領域の開口率が低下しまう。非表示領域である隔壁の線幅を細くすることで、開口率を向上させることはできるが、隔壁を細く形成することは技術的に限界がある。これに対処する技術が１対Ｎの形態であり、セルと画素との関係を１対Ｎにすることで、隔壁幅（線幅）を従来と同様にしたままで開口率を向上することができる。
【００２７】
図１は、情報表示用パネル１００の一部として、１つのセル７を拡大して示している。そして、図１で例示している情報表示用パネル１００は、先に課題を指摘したのと同様の構成であり、１つのセル７内に第１の行電極６−１と第２の行電極６−２との２つ行電極が、所定の間隔をもって隣り合うように配設されている。第１の列電極５−１、第２の列電極５−２の２つの列電極についても、所定の間隔をもって隣り合うように配設されている。これにより、セル７内には４つの画素が存在している。
【００２８】
なお、図１（ａ）、（ｂ）においては、作図の都合で、２つの列電極（第１の列電極５−１及び第２の列電極５−２）が重なった状態で図示される。また、手前にある隔壁４は省略している。各電極５、６は、各基板１、２の外側に設けても、基板の内側に設けても、基板内部に埋め込むように設けてもよい。
【００２９】
ここで、図２は、情報表示用パネル１００を有する画像表示装置２００の構成を示す概略構成図である。図２では、発明の特徴が理解し易いようにするため、粒子の図示を省略しているが、図１と同様に１対４の形態のセル７に係る構成を示している。
【００３０】
本発明の駆動方法が適用される画像表示装置２００において、情報表示用パネル１００は、隣り合って配置されている電極（図２では、基板２側に形成される第１の行電極６−１、第２の行電極６−２の場合を例示する）に、所望の電圧を印加できる構成を備えて形成してある。
【００３１】
そして、図２に例示するように、第１の行電極６−１、第２の行電極６−２に電圧を印加するためバッテリ等の電源１０は、ドライバ１２を介して接続されている。そして、このドライバ１２を制御して第１の行電極６−１、第２の行電極６−２に印加する電圧を制御するコントローラ１１を備えている。コントローラ１１は、図示しない制御ＩＣなどを含んで構成されており、ここに書き込まれたプログラムに基づいて、第１の行電極６−１、第２の行電極６−２に所望の電圧を印加できる。なお、本実施形態に係る駆動方法は、コントローラ１１の制御によって実行される。
【００３２】
本発明の画像表示装置２００は、前回の情報の表示を消去した後、かつ、次の情報の表示を開始する前に、セル７内で隣り合う電極と電極との（図２では第１の行電極６−１、第２の行電極６−２）間に、その間にある粒子を駆動させるように作用する電圧を印加する。具体的に、隣り合う第１の行電極６−１と第２の行電極６−２に対し、まず、第１の行電極６−１に電圧ＭＶ、第２の行電極６−２には０Ｖを印加する。その後、第１の行電極６−１には０Ｖ、第２の行電極６−２に電圧ＭＶを印加する。この１セットを１回の表示ムラ低減処理とし、必要に応じて１〜１００００回の範囲で繰り返す。なお、繰り返し回数が多くなり過ぎると、表示ムラ低減処理に費やされる時間が掛り過ぎることによって、情報表示用パネル１００の表示性能に好ましくない影響が出る場合があるので、１〜１０００回の範囲を上限にするのがより好ましい。
【００３３】
また、上記の所定電圧ＭＶは、第１の行電極６−１と第２の行電極６−２との間に、滞留する粒子を横方向に駆動できる電位であればよい。つまり、上記では他方の電位を０Ｖとしたがこれに限らない、第１の行電極６−１と第２の行電極６−２との間に一定上の電位差があって、粒子を横方向に駆動できればよく、必ずしも他方の電位を０Vにする必要はない。例えば、第１の行電極６−１に印加する電圧をＶ１とし、第２の行電極６−２に印加する電圧をＶ２としたとき、電圧差（Ｖ１−Ｖ２）が情報表示用パネル１００の書き換え電圧Ｖｗより高くしたときに横方向への駆動を行うことができる。
【００３４】
（駆動方法）
次に、図２乃至３を参照して、本発明の画像表示装置２００の駆動方法について説明する。図２は、画像表示装置２００の駆動方法を示すフロー図である。
【００３５】
ステップＳ１１０において、画像表示装置２００は、情報表示用パネル１００に情報を表示するために用いる電源の供給を開始する。
【００３６】
ステップＳ１２０において、画像表示装置２００は、情報表示用パネル１００に情報を表示するにあたり、表示の消去処理を実行する。具体的に、画像表示装置２００は、図１（ａ）に示すように白色表示媒体３Ｗを観察者に視認させて白色表示、又は、図１（ｂ）に示すように黒色表示媒体３Ｂを観察者に視認させて黒色表示をする。すなわち、画像表示装置２００は、白色表示又は黒色表示のいずれかの単一色を表示する。
【００３７】
ステップＳ１３０において、画像表示装置２００は、表示前処理を実行する。具体的に、画像表示装置２００は、表示前処理において、逆極性の電圧（言い換えると書き込み電圧と同じ極性の電圧）をステップ１２０において表示した黒表示または白表示が変化しない程度に印加する。従って、好ましくは粒子が動き出す閾値電圧以下であるが、必須の工程ではない。
【００３８】
ステップＳ１４０において、画像表示装置２００は、隣り合う電極と電極との間に、その間にある粒子を駆動させるように作用する電界が生じるように電圧を印加する表示ムラ低減処理を実行する。具体的に、画像表示装置２００は、隣り合う第１の行電極６−１と第２の行電極６−２に対し、第１の行電極６−１に電圧ＭＶ、第２の行電極６−２には０Ｖを印加する。また、その後、画像表示装置２００は、第１の行電極６−１には０Ｖ、第２の行電極６−２に電圧ＭＶを印加する。画像表示装置２００は、この１セットを１回の表示ムラ低減処理として、必要に応じて１〜１０００回の範囲で繰り返して実行することができる。なお、画像表示装置２００は、情報表示用パネル１００の表示領域全体に含まれる各セルに対して、上述した表示ムラ低減処理を実行する。
【００３９】
ステップＳ１５０において、画像表示装置２００は、情報表示処理を実行する。具体的に、画像表示装置２００は、画像表示装置２００に設けられる記憶部（図示せず）から読み出したデータに基づいて、各電極に所定の電圧を印加して、所定情報を表示する。なお、画像表示装置２００は、外部装置からデータを取得するとともに、当該データに基づいて、各電極に所定の電圧を印加して、所定情報を表示してもよい。
【００４０】
ステップＳ１６０において、画像表示装置２００は、情報表示用パネル１００に情報を表示するために用いていた電源の供給を終了する。
【００４１】
なお、上述の例では、第１の行電極６−１、第２の行電極６−２を、第１の電極と第２の電極とした場合を説明したが、第１の列電極５−１、第２の列電極５−２を用いて、同様に表示ムラ低減処理を実行してもよい。
【００４２】
（作用及び効果）
本実施形態に係る画像表示装置２００の駆動方法では、消去処理の後、かつ、情報表示処理の前に、表示ムラ低減処理を実行する。具体的に、画像表示装置２００は、表示ムラ低減処理として、１つのセル内で隣り合うように配置された第１の行電極６−１と第２の行電極６−２とに、所定電圧ＭＶを切り替えて印加する。画像表示装置２００は、このように所定電圧ＭＶを切り替えて印加することによって、隣接する電極間に位置していた表示媒体をその両側のいずれか（すなわち、第１の行電極６−１側、又は第２の行電極６−２側）に駆動させる。すなわち、画像表示装置２００は、クロストーク発生が無かった部分の表示状態を、クロストークが発生した部分の表示状態に意図的に近付けることができる。図８を例に挙げて説明すると、下段右側の表示状態を下段左側の表示状態に近付けることができる。よって、本実施形態に係る画像表示装置２００によれば、情報表示用パネル１００の表示状態を全体的に濃淡の差を抑制するよう調整しているので、視覚的な濃淡の差を目立たないようにできる。すなわち、観察者が表示ムラを感じないようにできる。
【００４３】
ここで、本実施形態では、画像表示装置２００は、情報表示処理の後に、上述した表示ムラ低減処理を実行するのではなく、消去処理の後、かつ、情報表示処理の前に、表示ムラ低減処理を実行する。
【００４４】
これは、次の理由による。画像表示装置２００が、情報表示処理を実行した後であると、各セルの表示媒体に所定の電圧が付与された後であるため、各セルの状態（黒色表示媒体と白色表示媒体の量比や、量比が異なることによって結果としてセルごとの帯電量など）が異なり、表示ムラを低減するための電圧（上述した所定電圧ＭＶ）が、各セルの位置に応じて異なる。よって、画像表示装置２００が、情報表示処理を実行した後に、所定電圧ＭＶによって、全てのセルを対象とした表示ムラ低減処理を実行しても、一部のセルでは、クロストークが発生した部分の表示状態に近付けることができない場合がある。つまり、画像表示装置２００が、情報表示処理を実行した後に表示ムラ低減処理を実行しても、一部のセルに表示ムラが残ってしまい、表示ムラを低減する効果が十分に得られなくなるためである。
【００４５】
本実施形態に係る画像表示装置２００の駆動方法では、消去処理の後、かつ、情報表示処理の前に、表示ムラ低減処理を実行する。すなわち、本実施形態に係る画像表示装置２００の駆動方法では、各セルにおける表示媒体の駆動している状態の差が最も小さい消去処理の後、かつ、情報を表示するための電圧が印可される前に、表示ムラ低減処理を実行する。よって、画像表示装置２００が、全てのセルを対象とした表示ムラ低減処理を実行することで、全体的な表示状態をクロストークが発生した部分の表示状態により一層近付けることができるので、情報表示処理によって情報を表示した際に、表示ムラをより確実に抑制できる。
【００４６】
このように、本実施形態に係る画像表示装置２００の駆動方法によれば、１つのセル内に複数の画素が設定されるパッシブ型の情報表示用パネル１００を備えた画像表示装置２００において、発生したクロストークによる表示ムラをより確実に低減することが可能になる。
【００４７】
（情報表示用パネルの概略構成）
以下、本願発明の対象となる画像表示装置２００の情報表示用パネル１００の各部材について説明する。上記基板１、２としては、ポリエチレンテレフタレート（ＰＥＴ）、ポリエチレンナフラレート（ＰＥＮ）、トリアセチルセルロース（ＴＡＣ）、ポリカーボネート（ＰＣ）、ポリエーテルサルフォン（ＰＥＳ）、ポリメチルメタクリレート（ＰＭＭＡ）等のアクリル系樹脂などのプラスチックやガラスが挙げられ、これらは透明である必要があるが、色を有してもよいし無色であってもよい。
【００４８】
背面側基板とするシート材料としては、ポリエチレンテレフタレート（ＰＥＴ）、ポリエチレンナフラレート（ＰＥＮ）、トリアセチルセルロース（ＴＡＣ）、ポリカーボネート（ＰＣ）、ポリエーテルサルフォン（ＰＥＳ）、ポリメチルメタクリレート（ＰＭＭＡ）等のアクリル系樹脂などのプラスチックやガラスが挙げられ、これらは透明であってもよいし透明でなくてもよい。
【００４９】
上記情報表示用パネル１００で情報表示をする領域（以下、情報表示画面領域）に対向して配置する画素を構成する電極や配線電極とする導電膜において、観察側の透明基板に設ける透明導電膜材料として、酸化インジウム錫（ＩＴＯ）、酸化インジウム、亜鉛ドープ酸化インジウム（ＩＺＯ）、アルミニウムドープ酸化亜鉛（ＡＺＯ）、アンチモン錫酸化物（ＡＴＯ）、導電性酸化錫、導電性酸化亜鉛等の透明導電金属酸化物類を用いることができる。
【００５０】
情報表示画面領域に対向して配置する画素を構成する電極や配線電極とする導電膜において、背面側の基板に設ける透明導電膜材料としても、酸化インジウム錫（ＩＴＯ）、酸化インジウム、亜鉛ドープ酸化インジウム（ＩＺＯ）、アルミニウムドープ酸化亜鉛（ＡＺＯ）、アンチモン錫酸化物（ＡＴＯ）、導電性酸化錫、導電性酸化亜鉛等の透明導電金属酸化物類を用いるのが一般的であるが、ポリアニリン、ポリピロール、ポリチオフェン、ＰＥＤＯＴ：ＰＳＳ(Poly(3,4-ethylenedioxythiophene)/Poly(Styrenesufonate))等の導電性高分子類や銅、アルミニウム、金、銀、ニッケル、亜鉛やそれらの合金などの金属を用いることもできる。
【００５１】
透明な導電膜として好適なＩＴＯ等の金属酸化物系の導電性材料は、金属材料に比べて可とう性が小さい。観察側パネル基板の情報表示画面領域に設ける金属酸化物系の透明導電膜には、透明導電膜中での断線防止のため、金属細線と併用することが好ましい。特に、透明導電膜をライン状とする場合には、透明導電膜中で断線が発生しやすいのでその防止のため、金属細線と併用するのが好ましい。この金属細線の幅は、１μｍ〜１０μｍとすれば表示視認性の妨げとならないので好ましい。背面側パネル基板に設ける導電膜は光透過を考慮する必要がないので電気抵抗が小さく、可とう性にも優れた前記金属材料が好適に用いられる。また、背面側パネル基板に設ける導電膜の厚みは電気抵抗および生産性、コストの観点から０．０１〜１０μｍに設計される。
【００５２】
本発明の情報表示用パネル１００における基板と基板との間隔は、基板間に配置する表示媒体に応じて、通常１０〜５００μｍの範囲で決められる。帯電性粒子を含んだ粒子群を表示媒体とする場合は、前記帯電粒子の平均粒子径が１〜２０μｍの範囲で用いるので、基板間隔は、１０〜５００μｍ、好ましくは１０〜２００μｍ、さらに好ましくは１０〜１００μｍに調整される。
【００５３】
情報表示用パネル１００の２枚のパネル基板間ギャップを確保するために設ける隔壁部分や、粒子群として構成した表示媒体を収納するセルを形成するために設ける隔壁部分を形成するときには、ドライフィルムレジスト材を用いたフォトリソグラフィー技術が好適に用いられる。一例として、アルフォＮＩＴ２（ニチゴーモートン社製）やＰＤＦ３００（新日鐵化学社製）をドライフィルムレジスト材として使用することができる。これらのドライフィルムレジスト材に各種顔料を配合しておけば、所望の色の隔壁とすることができる。
【００５４】
なお、パネル基板間ギャップ確保用の隔壁部分の幅は、２０μｍ〜１００μｍの範囲とし、セル形成用の隔壁部分の幅は５μｍ〜３０μｍの範囲とすることが好ましい。
【００５５】
［第１実施例］
更に本発明の第１実施例について説明する。図４は実施例として作製した画像表示装置２００の情報表示用パネル１００について示した図である。この情報表示用パネル１００は、列：１２００ｄｏｔ（画素）、行：１６００ｄｏｔ（画素）により表示領域が形成されている。その１セルを拡大して示している。更に、その下にセルの側面図を示してある。ここで示すセルも１セルに４個の画素を含む１対４形態である。具体的な情報表示用パネル１００の仕様は下記の通りとした。
【００５６】
・粒子種：黒色粒子（正に帯電）、白色粒子（負に帯電）
・粒子径：約１０μｍ
・基板材料：ガラス
・電極材料：ＩＴＯ（インジウムスズ酸化物）
・画素数：１６００ｄｏｔ（列電極）×１２００ｄｏｔ（行電極）
・画素構成：セル：画素＝１：４ｄｏｔ（２×２）
・解像度：約１５０ｄｐｉ
・対向電極間距離：約４０ｕｍ（Ｙｇ）
・隣接電極間距離：約１５ｕｍ（Ｘｇ）
図５は、図４に示す情報表示用パネル１００を備えた画像表示装置２００を駆動して、実施した表示試験方法を説明するために示した図である。
【００５７】
図５に示すテストパターンを表示するように、情報表示用パネル１００を駆動した。その表示後、クロストークによる影響を低減すべく、下記のように、２通りの電圧（クロストーク電圧）を印加した。
【００５８】
（１）クロストーク電圧の印加区別
ａ）従来手法に基づいて、表示領域の全面にクロストーク電圧を印加した。
【００５９】
ｂ）本発明に係る方法に基づいて、１セル内の第１の行電極６−１と第２の行電極６−２とにクロストーク電圧を交互に印加する表示ムラ低減処理を実行した。なお、表示ムラ低減処理は、前回の情報の表示を消去した後、かつ、次の情報の表示を開始する前に実行した。
【００６０】
また、実施例１に係る駆動方法では、電極に印可した駆動電圧を、８０Ｖ／４５Ｖ／２７Ｖとし、クロストーク電圧として表示面側の隣接電極間は４５Ｖの電位差となるようにし、背面側の電極については全て２７Ｖを印加した。実施例２に係る駆動方法では、電極に印可した駆動電圧を、８０Ｖ／４５Ｖ／２２Ｖとし、クロストーク電圧として表示面側の隣接電極間は４５Ｖの電位差となるようにし、背面側の電極については全て２２Vを印加した。実施例３に係る駆動方法では、電極に印可した駆動電圧を、８０Ｖ／４０Ｖ／２７Ｖとし、クロストーク電圧として表示面側の隣接電極間は４０Ｖの電位差となるようにし、背面側の電極については全て２７Ｖを印加した。実施例４に係る駆動方法では、電極に印可した駆動電圧を、８０Ｖ／４０Ｖ／２２Ｖとし、クロストーク電圧として表示面側の隣接電極間は４０Ｖの電位差となるようにし、背面側の電極については全て２２Ｖを印加した。なお、従来方法に係る駆動電圧は、駆動電圧を、８０Ｖ／４０Ｖ／２７Ｖとし、クロストーク電圧は２７Ｖとし、表示領域の全面に印加した。
【００６１】
（２）評価結果
また、図６は、従来例に係る駆動方法によるクロストークで発生した表示ムラ抑制効果と、本発明の実施例１乃至４に係る駆動方法による表示ムラ抑制効果との差を示したグラフ図である。なお、図６において、横軸は、クロストーク電圧の繰り返し回数を示し、縦軸は、表示ムラ低減効果の度合いをＬｅｖｅｌ１乃至３によって示している。ここで、Ｌｅｖｅｌ１乃至３は、表示ムラ低減効果を観察者によって評価した官能評価であり、Ｌｅｖｅｌ１は、「表示ムラを視認できない」ことを示し、Ｌｅｖｅｌ２は、「表示ムラをわずかに視認できる」ことを示し、Ｌｅｖｅｌ３は、「表示ムラを明確に視認できる」ことを示す。すなわち、Ｌｅｖｅｌ１乃至３の値は、小さいほど表示ムラ低減効果に優れていることを示す。
【００６２】
図６に示すように、本発明の実施例１乃至４に係る駆動方法は、従来例に係る駆動方法に比べて、表示ムラ低減効果に優れていることが証明された。更に、本発明の実施例１乃至４に係る駆動方法では、駆動電圧を考慮した実施例４が、最も繰り返し回数が少ない。この結果から、駆動電圧を適切に考慮するほど、繰り返し回数を少なくできることが解る。
【００６３】
なお、情報の表示を消去した後、かつ、情報の表示を開始する前に印加する電圧の繰り返す回数は、採用している粒子の帯電や粒子径など、また情報表示用パネル１００の骨格を形成する基板の材質や厚さ、ここに配置する電極の材質などで特定される構成により、好ましい電圧印加の繰り返し回数が異なると予想される。本発明者によると、繰り返し回数の範囲は１〜１００００回であることが好ましいが、１回〜１０００回の範囲で、適宜に選択してもよいと考えられる。
【００６４】
［その他の実施形態］
上述したように、本発明の実施形態を通じて本発明の内容を開示したが、この開示の一部をなす論述及び図面は、本発明を限定するものであると理解すべきではない。この開示から当業者には様々な代替実施の形態、実施例が明らかとなる。例えば、本発明の実施形態は、次のように変更することができる。
【００６５】
例えば、上述した実施形態では、１セル内に４画素とした構成の情報表示用パネルを例に挙げて説明したが、３×３の９画素などとした場合も１セル内に存在する電極が増加するだけである。この場合も互いに隣接する電極間で粒子群の駆動させる電位を発生させて、同様に処理できる。すなわち、この場合には３本目として、第３の電極が増加することになるが、第２の電極を間にして両側に第１の電極、第３の電極とし、この第１、第３の電極に同じ電圧を印加すれば前述したと同様に表示ムラ低減処理を行える。更に、電極数が増加する場合も同様であり、前述した第１の電極、第２の電極を順に増して対応すればよい。
【００６６】
上述した実施形態では、ステップＳ１５０において、画像表示装置２００は、読み出したデータに基づいて、情報表示用パネルに情報を表示するように構成されていたが、画像表示装置２００は、情報表示用パネルの表示領域に接触されたタッチペンなどの位置を検出し、タッチペンによって接触された位置に応じた所定情報を情報表示パネルに表示してもよい。
【００６７】
また、画像表示装置２００は、情報表示を消去することのみを目的とした場合にも、消去処理の後に、表示ムラ低減処理を実行してもよい。具体的に、画像表示装置２００は、次回に電源供給が開始されて、情報表示処理を実行する場合を考慮して、消去処理の後に、表示ムラ低減処理を実行して、情報表示処理を実行すること無く、電源供給を終了するようにしてもよい。
【００６８】
また、本発明の駆動方法を実行する画像表示装置２００は、ノートパソコン、ＰＤＡ、携帯電話、ハンディターミナル等のモバイル機器の表示部、電子ブック、電子新聞等の電子ペーパ、看板、ポスター、黒板等の掲示板、電卓、家電製品、自動車用品等の表示部、ポイントカード、ＩＣカード等のカード表示部、電子広告、電子ＰＯＰ(Point Of Presence, Point Of Purchase advertising)、電子値札、電子楽譜、ＲＦ−ＩＤ機器の表示部などに適用可能である。
【００６９】
このように、本発明は、ここでは記載していない様々な実施の形態などを含むことは勿論である。したがって、本発明の技術的範囲は、上述の説明から妥当な特許請求の範囲に係る発明特定事項によってのみ定められるものである。
【符号の説明】
【００７０】
１乃至２…基板、３Ｂ…黒色表示媒体、３Ｂａ…正帯電性黒色粒子、３Ｗ…白色表示媒体、３Ｗａ…負帯電性白色粒子、４…隔壁、５…電極、５−１…第１の列電極、５−２…第２の列電極、６…電極、６−１…第１の行電極、６−２…第２の行電極、７…セル、１０…電源、１１…コントローラ、１２…ドライバ、１００…情報表示用パネル、２００…画像表示装置
【図１】
2013127511.tif 000003
【図２】
2013127511.tif 000004
【図３】
2013127511.tif 000005
【図４】
2013127511.tif 000006
【図５】
2013127511.tif 000007
【図６】
2013127511.tif 000008
【図７】
2013127511.tif 000009
【図８】
2013127511.tif 000010
【図９】
2013127511.tif 000011